(57)【要約】【課題】  記録再生装置内で外縁部が保持されるホログラム記録媒体に対して構造の最適化及び小型化を図り、より正確に情報の記録再生を可能にするホログラム記録媒体を提供する。【解決手段】  第１基板と、第１基板より大きな寸法を有する第２基板と、第１基板及び第２基板の間に設けられた情報記録層とを備え、第２基板が第１基板より外側に上記記録再生装置に支持される支持部を有するホログラム記録媒体を提供することにより、上記課題を解決する。【選択図】  図２
2007183933.tif 000002
【特許請求の範囲】
【請求項１】
記録再生装置に装着されて情報の記録再生が行われるホログラム記録媒体であって、
第１基板と、
第１基板より大きな寸法を有する第２基板と、
第１基板及び第２基板の間に設けられた情報記録層とを備え、
第２基板が第１基板より外側に上記記録再生装置に支持される支持部を有するホログラム記録媒体。
【請求項２】
第２基板が、その両面に上記支持部を有することを特徴とする請求項１に記載のホログラム記録媒体。
【請求項３】
さらに、第２基板を保持するカートリッジを備える請求項１または２に記載のホログラム記録媒体。
【請求項４】
第２基板の外縁部に、上記カートリッジに保持される保持部が設けられており、該保持部の厚さが第２基板の中央部の厚さより薄く、該保持部の上記情報記録層側と反対側の表面が第２基板の中央部の上記情報記録層側と反対側の表面より上記情報記録層側に位置し、該保持部の両面が上記カートリッジに保持されることを特徴とする請求項３に記載のホログラム記録媒体。
【請求項５】
第２基板の中央部の上記情報記録層側とは反対側の表面と、上記カートリッジの第２基板側の最表面とが面一であることを特徴とする請求項３または４に記載のホログラム記録媒体。
【請求項６】
上記記録再生装置が上記ホログラム記録媒体に情報を記録再生する記録再生ヘッドを有し、上記ホログラム記録媒体が上記記録再生装置に装着された際に、第２基板が上記記録再生ヘッド側に位置することを特徴とする請求項１〜５のいずれか一項に記載のホログラム記録媒体。
【請求項７】
記録再生装置に装着されて情報の記録再生が行われるホログラム記録媒体であって、
第１基板と、
第１基板より大きな寸法を有する第２基板と、
第１基板及び第２基板の間に設けられた情報記録層と、
第２基板を保持するカートリッジとを備え、
上記カートリッジが、上記記録再生装置内で上記ホログラム記録媒体を支持するための支持部を有することを特徴とするホログラム記録媒体。
【請求項８】
第１基板の上記情報記録層側とは反対側の表面が、上記カートリッジの第１基板側の最表面より上記情報記録層側に位置することを特徴とする請求項３〜７のいずれか一項に記載のホログラム記録媒体。
【請求項９】
上記ホログラム記録媒体を上記記録再生装置に装着した際に、第１基板が上記記録再生装置と接触しないことを特徴とする請求項１〜８のいずれか一項に記載のホログラム記録媒体。
【請求項１０】
第１基板が上記カートリッジと接触していないことを特徴とする請求項３〜９のいずれか一項に記載のホログラム記録媒体。
【請求項１１】
上記カートリッジが第２基板のみを保持することを特徴とする請求項３〜１０のいずれか一項に記載のホログラム記録媒体。
【発明の詳細な説明】
【技術分野】
【０００１】
本発明は、ホログラム記録媒体に関する。
【背景技術】
【０００２】
従来から、体積当たりの情報量を増大させるために、情報記録媒体の高密度記録化及び小型化に関する種々な技術が提案されている。その中で、近年、高記録容量、高転送レート及びランダムアクセス可能という特徴を有するホログラム記録媒体（ホログラム情報記憶媒体）が注目されている。
【０００３】
ホログラム記録媒体では、従来の光ディスクとは異なり、２つの光（記録光と参照光）を記録層に照射してその厚み方向に記録光と参照光の干渉パターンを形成することにより情報が記録される。そして、例えば、記録光（信号光または物体光とも言われる）と参照光との間の角度を変化させることにより、干渉パターン（ホログラム）を変化させることができるので、所定の領域に異なる干渉パターンを重ねて記録することができ、高密度記録が可能となる。また、そのようにして記録された情報（干渉パターン）は、参照光（再生光とも言われる）の角度を変えて照射することにより、その参照光の角度に対応した干渉パターンが検出され情報再生が行われる。
【０００４】
ホログラム記録媒体の構造としては、２つの基板の間に記録層が挟まれたサンドイッチ構造の媒体が知られている（例えば、特許文献１参照）。この構造のホログラム記録媒体では、記録層として２液混合型材料が用いられることが多い。
【０００５】
また、ホログラム記録媒体は、通常、情報の記録再生時には、専用の記録再生装置に挿入して使用される。記録再生装置内には、情報の記録再生を正確に行うための位置決め装置が設けられており、ホログラム記録媒体が記録再生装置に装着された際には、ホログラム記録媒体が位置決め装置等により保持され記録再生が行われる。また、従来、積層導波路型ホログラムの例として、光メモリ素子を一回り大きなサイズの筐体（カートリッジ）に装着し、その筐体により位置決めを行っている例もある（例えば、特許文献２参照）。
【０００６】
【特許文献１】特開２００５−１７５８９号公報
【特許文献２】特開２００４−１０３１９６号公報
【発明の開示】
【発明が解決しようとする課題】
【０００７】
ホログラム記録媒体は、上述のように、高記録容量、高転送レート及びランダムアクセス可能という特徴を有するため、様々な用途に適用可能である。それゆえ、ホログラム記録媒体に対する注目が高まっており、ホログラム記録媒体のさらなる構造の最適化及び小型化が要望されている。
【０００８】
また、ホログラム記録媒体は、上述のように、情報記録層の厚み方向に記録光（信号光）と参照光の干渉パターン（ホログラム）を形成することにより情報が記録されるので、ホログラム記録媒体の記録再生特性は外力等に対して変動しやすい。それゆえ、ホログラム記録媒体では、できるかぎり外力等から情報記録層を保護する必要がある。
【０００９】
本発明は上記要望に応えるためになされたものであり、本発明の目的は、様々な用途に適用可能なホログラム記録媒体の構造の最適化を図り、且つ、より正確に情報の記録再生が可能なホログラム記録媒体を提供することである。特に、ホログラム記録媒体が記録再生装置に装着された際に、ホログラム記録媒体の外縁部が保持されるホログラム記録媒体に対して、構造の最適化及び小型化を図り、且つ、より正確に情報の記録再生を可能にすることである。
【課題を解決するための手段】
【００１０】
本発明の第１の態様に従えば、記録再生装置に装着されて情報の記録再生が行われるホログラム記録媒体であって、第１基板と、第１基板より大きな寸法を有する第２基板と、第１基板及び第２基板の間に設けられた情報記録層とを備え、第２基板が第１基板より外側に上記記録再生装置に支持される支持部を有するホログラム記録媒体が提供される。
【００１１】
本発明の第１の態様に従うホログラム記録媒体では、第２基板が、その両面に上記支持部を有することが好ましい。
【００１２】
なお、本明細書でいう「ホログラム記録媒体」（ホログラム情報記憶媒体）には、２枚の基板と、その間に設けられた情報記録層（ホログラム記録層）とを備えるもの（以下、記録媒体本体ともいう）だけでなく、記録媒体本体と、後述する記録媒体本体を保持するカートリッジとを備えたものも含む。
【００１３】
また、本明細書でいう「記録再生装置に支持される支持部」とは、ホログラム記録媒体が記録再生装置に装着された際に、記録再生装置内の支持装置（位置決め装置等）により直接または間接的に圧力等を加えて支持される部分のことをいう。間接的に圧力等をかけて支持される例としては、例えば、後述するようなカートリッジ等を介して第２基板の支持部に圧力を加えて支持する場合がある。また、本発明のホログラム記録媒体において、記録再生装置内の支持装置で第２基板の両面を支持する場合には、両面を支持装置で直接支持しても良いし、間接的に支持しても良い。また、支持装置で、第２基板の一方の面の支持部を直接支持し、他方の面の支持部を間接的に支持しても良い。
【００１４】
通常、ホログラム記録媒体は記録再生装置に装着されると、ホログラム記録媒体は、記録再生装置内の位置決め装置等の支持装置により所定位置に保持される。支持装置としては、例えば、ピン、バネ等が用いられ、その支持装置の圧力（弾性力）等によりホログラム記録媒体が所定位置に支持される。それゆえ、支持装置の構造及び支持方法によっては、２枚の基板間に挟まれた情報記録層に圧力が加わり、情報記録層に歪みが生じる恐れがある。情報記録層に歪みが生じると、情報記録層の干渉パターンが変化するので、正確に情報の記録再生をすることができなくなる。
【００１５】
また、記録媒体本体を保持するカートリッジを備え、カートリッジを支持装置で保持するホログラム記録媒体に対しても、支持装置の構造及び支持方法によっては、ホログラム記録媒体を記録再生装置内に装着した際に情報記録層に圧力が加わり、情報記録層に歪みが生じる恐れもある。また、カートリッジの構造によっては、記録媒体本体をカートリッジで保持した時点で情報記録層に圧力が加わる恐れもある。さらに、カートリッジの構造によっては（例えば、記録媒体本体を完全に覆うような構造であるような場合）、外部環境に熱変化が生じた際に、記録媒体本体の熱膨張収縮変形がカートリッジに抑制され、情報記録層に応力歪変形が生じる恐れがある。上述のように、記録媒体本体を保持するカートリッジを備えたホログラム記録媒体に対しても、情報記録層に応力歪変形が発生する恐れがあり、情報の誤記録，誤再生を引き起こす可能性がある。
【００１６】
本発明は上記課題を解決するためになされたものであり、本発明のホログラム記録媒体では、２枚の基板のうち、一方の基板（第２基板）の寸法を他方の基板（第１基板）より大きくし、ホログラム記録媒体が記録再生装置に装着された際に、第１基板より外側にはみ出した第２基板の少なくとも一部（支持部）が、記録再生装置の位置決め装置等により支持される構造とした。本発明のホログラム記録媒体では、第２基板のみが記録再生装置内で支持されるので、ホログラム記録媒体を記録再生装置に装着した際に、２枚の基板間に挟まれた情報記録層に圧力が加わらない。それゆえ、情報記録層に歪みが生じないので、より正確に情報の記録再生が可能となる。
【００１７】
本発明の第１の態様に従うホログラム記録媒体では、ホログラム記録媒体を記録再生装置に装着した際に、第２基板のみが支持される構造にすれば良いので、記録媒体本体を覆うようなカートリッジは必ずしも必要ではない。それゆえ、本発明の第１の態様に従うホログラム記録媒体では、小型化も可能となる。
【００１８】
情報記録層の保護及びホログラム記録媒体のハンドリングの容易さを考慮すると、本発明の第１の態様に従うホログラム記録媒体では、さらに、第２基板を保持するカートリッジを備えることが好ましい。このような構造のカートリッジを有するホログラム記録媒体では、ホログラム記録媒体を記録再生装置に装着した際に位置決め装置等の支持装置によりカートリッジに圧力が加わっても、カートリッジが第２基板のみを保持する構造であるので、直接２枚の基板間に挟まれた情報記録層に圧力は加わらない。それゆえ、情報記録層に歪みが生じないので、より正確に情報の記録再生が可能となる。
【００１９】
本発明の第１の態様に従うホログラム記録媒体では、第２基板の外縁部に、上記カートリッジに保持される保持部が設けられており、該保持部の厚さが第２基板の中央部の厚さより薄く、該保持部の上記情報記録層側と反対側の表面が第２基板の中央部の上記情報記録層側と反対側の表面より上記情報記録層側に位置し、該保持部の両面が上記カートリッジに保持されることが好ましい。
【００２０】
本発明の第１の態様に従うホログラム記録媒体では、カートリッジで第２基板の外縁部の一方の面のみを保持しても良いが、その場合には、保持している面の側から何らかの力（衝撃、振動等）が加われば、第２基板がカートリッジから外れてしまう恐れもある。それゆえ、衝撃や振動等に対するホログラム記録媒体の耐性を向上させ、安定した記録再生を実現するためには、第２基板の外縁部の両面がカートリッジで保持されることが好ましい。その際、第２基板のカートリッジで保持される部分（保持部）の厚さを薄くし、且つ、保持部の情報記録層側と反対側の表面が第２基板の中央部の情報記録層側と反対側の表面より情報記録層側に位置するような構造にすると、カートリッジの厚さも薄肉化することができ、ホログラム記録媒体の小型化を図ることができる。
【００２１】
本発明の第１の態様に従うホログラム記録媒体では、第２基板の中央部の上記情報記録層側とは反対側の表面と、上記カートリッジの第２基板側の最表面とが面一であることが好ましい。このような構造にすることにより、カートリッジの厚さを記録媒体本体とほぼ同じ厚さにすることができるので、ホログラム記録媒体の小型化を図ることが可能となる。なお、本発明のホログラム記録媒体では、第２基板の情報記録層側とは反対側の表面と、カートリッジの第２基板側の最表面とが面一でなく、第２基板の情報記録層側とは反対側の表面が、カートリッジの第２基板側の最表面よりも、情報記録層側に位置するような構造にしても良い。このような構造にすると、例えば、ホログラム記録媒体を机上等に置いた場合であっても第２基板が机等に直接接触しないので、情報記録層の保護性を向上させることができる。
【００２２】
本発明の第１の態様に従うホログラム記録媒体では、上記記録再生装置が上記ホログラム記録媒体に情報を記録再生する記録再生ヘッドを有し、上記ホログラム記録媒体が上記記録再生装置に装着された際に、第２基板が上記記録再生ヘッド側に位置することが好ましい。本発明のホログラム記録媒体は、上述のように記録再生装置に装着された際に、第２基板が保持されるので、ホログラム記録媒体の厚さ方向の位置決めの基準は第２基板となる。それゆえ、記録再生ヘッドが第２基板側に位置する場合、情報記録層に照射される光の焦点位置をより正確にあわせることが可能になる。
【００２３】
本発明の第２の態様に従えば、記録再生装置に装着されて情報の記録再生が行われるホログラム記録媒体であって、第１基板と、第１基板より大きな寸法を有する第２基板と、第１基板及び第２基板の間に設けられた情報記録層と、第２基板を保持するカートリッジとを備え、上記カートリッジが、上記記録再生装置内で上記ホログラム記録媒体を支持するための支持部を有することを特徴とするホログラム記録媒体が提供される。
【００２４】
本発明の第２の態様に従うホログラム記録媒体では、ホログラム記録媒体が記録再生装置に装着された際に、カートリッジの支持部が支持されるので、直接、情報記録層並びにそれを挟み込む第１及び第２基板に圧力が加わらない。それゆえ、情報記録層に歪みが生じないので、より正確に情報の記録再生が可能になる。
【００２５】
本発明のホログラム記録媒体では、第１基板の上記情報記録層側とは反対側の表面が、上記カートリッジの第１基板側の最表面より上記情報記録層側に位置することが好ましい。
【００２６】
本発明のホログラム記録媒体では、上記ホログラム記録媒体を上記記録再生装置に装着した際に、第１基板が上記記録再生装置と接触しないことが好ましい。また、本発明のホログラム記録媒体では、第１基板が上記カートリッジと接触していないことが好ましい。本発明のホログラム記録媒体では、上記カートリッジが第２基板のみを保持することが好ましい。
【発明の効果】
【００２７】
本発明の第１の態様に従うホログラム記録媒体によれば、ホログラム記録媒体を記録再生装置に装着した際に、第２基板の第１基板より外側にはみ出した部分、すなわち、支持部のみが記録再生装置内で支持されるので、２枚の基板間に挟まれた情報記録層に圧力が加わらない。それゆえ、情報記録層に歪みが発生せず、より正確に情報の記録再生が可能となる。
【００２８】
また、本発明の第１の態様に従うホログラム記録媒体によれば、ホログラム記録媒体を記録再生装置に装着した際に、第２基板が直接支持される構造にすることが可能であり、その場合には、記録媒体本体を保持するカートリッジは必ずしも必要ではない。また、本発明のホログラム記録媒体では、カートリッジを備えていても、上述のように、カートリッジの厚さを薄くすることができる。それゆえ、本発明のホログラム記録媒体では、小型化も可能となる。
【００２９】
本発明の第２の態様に従うホログラム記録媒体によれば、ホログラム記録媒体を記録再生装置に装着した際に、カートリッジの支持部のみが記録再生装置内で支持されるので、直接、情報記録層並びにそれを挟み込む第１及び第２基板に圧力が加わらない。それゆえ、情報記録層に歪みが生じないので、より正確に情報の記録再生が可能になる。
【発明を実施するための最良の形態】
【００３０】
以下に、本発明のホログラム記録媒体（ホログラム情報記憶媒体）の実施例を図面を参照しながら具体的に説明するが、本発明はこれに限定されない。
【実施例１】
【００３１】
実施例１のホログラム記録媒体の概略構成を図１に示した。図１（ａ）は、この例のホログラム記録媒体の平面図であり、図１（ｂ）は側面図である。この例のホログラム記録媒体１０は、図１（ａ）に示すように、カートリッジ１と、記録媒体本体２とから構成される。なお、この例のホログラム記録媒体１０は、記録再生装置に装着された際に、その外縁部が記録再生装置の位置決め装置等の支持装置により支持されるホログラム記録媒体である。
【００３２】
カートリッジ１は、図１（ａ）に示すように、略平板状の形状を有し、後述する記録再生装置に挿入される挿入部１ａと、記録再生装置に挿入する際にユーザーが把持する部分となる把持部１ｃとからなり、挿入部１ａの中央にはその厚さ方向に貫通した正方形状の貫通穴１ｂが形成されている。貫通穴１ｂは後述する記録媒体本体２の第２基板２２とほぼ同じ形状及び寸法を有し、その貫通穴１ｂを画成する側壁により記録媒体本体２が保持されている。また、把持部１ｃの厚さは、図１（ｂ）に示すように、ユーザーが持ちやすいように挿入部１ａより厚くなっている。それゆえ、この例のホログラム記録媒体１０を側面から見ると、図１（ｂ）に示すように、略Ｔ字状の形状をしている。
【００３３】
記録媒体本体２の概略構成を図２に示した。図２（ａ）はこの例の記録媒体本体２の側面図であり、図２（ｂ）は後述する第１基板２１側から見た平面図である。記録媒体本体２は、図２（ａ）に示すように、第１基板２１と、第１基板２１より大きな寸法を有する第２基板２２と、第１基板２１及び第２基板２２の間に形成された情報記録層２３（ホログラム記録層）とから構成される。
【００３４】
第１基板２１は、図２（ａ）及び（ｂ）に示すように、正方形の板状部材であり、この例では、非晶性オレフィン樹脂で形成した。また、第１基板２１の寸法は、２５ｍｍ×２５ｍｍ×１ｍｍとした。
【００３５】
第２基板２２は、図２（ａ）及び（ｂ）に示すように、正方形の板状部材であり、この例では、第１基板２１と同様に、非晶性オレフィン樹脂で形成した。また、第２基板２２の寸法は、３０ｍｍ×３０ｍｍ×１ｍｍとした。また、第２基板２２の第１基板２１側とは反対側の表面の外縁部には段差を設けた（第２基板２２の外縁部の厚さを第２基板２２の中央部の厚さより薄くした）。段差部分２２ａの厚さはカートリッジ１の嵌合部１ｅとほぼ同じ程度の厚さにすることが好ましい。この例では、この段差部分２２ａの厚さを約０．５ｍｍとした。段差部分２２ａは、後述するように、記録媒体本体２をカートリッジ１に装着した際に、カートリッジ１の貫通穴１ｂを画成する側壁部で保持される部分であり、この例では、この段差部分の上下面がカートリッジ１に保持される。ここでは、第２基板２２の薄厚の段差部分２２ａを保持部２２ａと称す。なお、保持部２２ａの形状は、保持部２２ａの上下面がカートリッジ１に保持されるような形状であれば任意であり、用途や記録再生装置の保持構造等により適宜変更可能である。例えば、第２基板２２の外周端に向かってテーパー状に、保持部２２ａの厚さが徐々に薄くなる形状にしても良いし、あるいは、場合によっては、段差をつけなくても（保持部２２ａの厚さを第２基板２２の中央部の厚さと同じであっても）良い。また、図２（ａ）中に示した第２基板２２の第１基板２１と対向する領域の外側に位置し且つ保持部２２ａに隣接する部分２２ｂは、後述するように、ホログラム記録媒体１０を記録再生装置に装着した際に、記録再生装置内のガイドピン３２及び板バネ３３にそれぞれ直接的及び間接的に支持される部分（以下、支持部２２ｂともいう）となる。
【００３６】
情報記録層２３は、感光性重合体で形成した。情報記録層２３の寸法は、２４ｍｍ×２４ｍｍ×１．５ｍｍとした。すなわち、情報記録層の２３の上下面の寸法を第１基板２１の上下面の寸法より若干小さくなるように形成した。
【００３７】
なお、この例の記録媒体本体２は、図２（ａ）及び（ｂ）に示すように、第１基板２１、第２基板２２及び情報記録層２３の各中心が同軸上に並ぶように形成し、且つ、第１基板２１に対して第２基板２２のはみ出している外縁部の幅が均等となるように形成した。
【００３８】
記録媒体本体２をカートリッジ１に装着した全体図が図１であり、図１中のＡ−Ａ’断面を示したのが図３である。この例のホログラム記録媒体では、図３に示すように、カートリッジ１の貫通穴１ｂを画成する側壁部が、記録媒体本体２の外縁部に形成された保持部２２ａを挟持する構造、すなわち、第２基板２２のみがカートリッジで保持される構造になっている。具体的に説明すると、記録媒体本体２の側面と対向するカートリッジ１の貫通穴１ｂを画成する側壁部には、図３に示すように、貫通穴１ｂの外縁に沿って延在した凹部１ｆが形成されており、その凹部１ｆの下側の側面には、カートリッジ１の嵌合部１ｅに向かって突出した突起部１ｄが形成されている。また、この突起部１ｄは貫通穴１ｂの外縁に沿って延在して形成されている。なお、ここでいう凹部とは、側面及び底面により画成される空間のみならず、その凹部を画成している側面及び底面も含む意味である。そして、記録媒体本体２がカートリッジ１に装着された際には、図３に示すように、カートリッジ１の嵌合部１ｅの下面により第２基板２２の保持部２２ａの上面が支持され、凹部１ｆの下側の側面に形成された突起部１ｄの上面により第２基板２２の支持部２２ｂの下面が支持される。すなわち、この例では、記録媒体本体２の第２基板２２の外縁部（保持部２２ａ及び支持部２２ｂを含む領域）をカートリッジ１の嵌合部１ｅと凹部１ｆの下側の側面に形成された突起部１ｄとの間に挟みこんで保持している。
【００３９】
また、この例のホログラム記録媒体１０では、図３に示すように、第２基板２２のみをカートリッジ１で保持する構造であり、第１基板２１とカートリッジ１とが直接接触しない（非接触）構造とした。また、第１基板２１の下面がカートリッジ１の下面より情報記録層２３側に位置するような構造（カートリッジ１の下面と第１基板２１の下面とが面一でない）とした。すなわち、ホログラム記録媒体１０を記録再生装置３０に装着した際に、記録再生装置３０と第１基板２１とが非接触の状態になるような構造にした。これは、後述するように、ホログラム記録媒体１０を記録再生装置３０に装着して板バネ３３によりカートリッジ１の下面が支持された際に、板バネ３３と第１基板２１とが接触しないようにして第１基板２１（情報記録層２３）に圧力が加わらないようにするためである。第１基板２１の下面とカートリッジ１の下面との段差は０．１〜０．６ｍｍ程度にすることが好ましく、この例では、０．１〜０．２ｍｍとした。
【００４０】
上述のように、この例では、記録媒体本体２の第２基板２２のみをカートリッジ１で保持することにより、記録媒体本体２全体をカートリッジ１で保持している。それゆえ、この例では、情報記録層２３をカートリッジ１で直接保持する構造となっていないので、記録媒体本体２をカートリッジ１に装着しても、情報記録層２３に圧力は加わらず、応力歪みも生じない。
【００４１】
また、この例では、図３に示すように、第２基板２２の外縁部をカートリッジ１の貫通穴１ｂを画成する側壁部に形成された凹部１ｆの上下の側面で挟み込むようにして保持するので、ホログラム記録媒体１０の上面側または下面側から何らかの外力（振動、衝撃等）が与えられても、記録媒体本体２がカートリッジ１から外れることはない。それゆえ、この例のホログラム記録媒体１０では、振動や衝撃等に対する耐性を向上させることができ、安定した情報の記録再生が可能になる。
【００４２】
さらに、この例では、第２基板２２の外縁部に薄厚の保持部２２ａを形成したので、図３に示すように、カートリッジ１の上面と第２基板２２の上面とを面一にすることができる。それゆえ、この例では、カートリッジ１の厚さを薄肉化することができ、ホログラム記録媒体１０の小型化が可能になる。
【００４３】
この例の記録媒体本体２は、次のようにして作製した。まず、第１基板２１上に、情報記録層２３の形成材料である前述の感光性重合体を塗布した。そして、塗布した樹脂上に第２基板２２を載置し、第１基板２１と第２基板２２との平行度を保ちながら樹脂を固化して情報記録層２３を形成した。なお、本発明のホログラム記録媒体では、必要に応じて、第１及び第２基板のいずれかに反射膜（反射層）を形成しても良いし、あるいは、第１及び第２基板の両方に反射防止膜（反射防止層）を形成しても良い。但し、反射膜及び反射防止膜の形成位置は任意であり、用途等に応じて適宜変更し得る。
【００４４】
次に、この例で用いた記録再生装置及びホログラム記録媒体１０を記録再生装置に装着する際の様子を図４〜６を用いて説明する。図４に、この例で用いた記録再生装置の概略図を示した。図４（ａ）は記録再生装置の斜視図であり、図４（ｂ）は、ホログラム記録媒体の挿入口３１側からみた側面図である。なお、図４では、挿入口３１が開いた状態を示している。
【００４５】
この例の記録再生装置３０の一つの側面には挿入口３１が設けられており、この挿入口３１を介して、ホログラム記録媒体１０が着脱される。なお、この挿入口３１の幅及び高さは、それぞれ、ホログラム記録媒体１０の挿入部１ａの幅及び厚さより大きくし、把持部１ｃの幅及び厚さより小さくした。
【００４６】
また、この例の記録再生装置３０は、図４（ｂ）に示すように、その内部に、挿入されたホログラム記録媒体１０を保持するための一対のガイドピン３２及び一対の板バネ３３（位置決め装置）が設けられている。一対のガイドピン３２及び一対の板バネ３３は、ともにホログラム記録媒体１０の第２基板２２の幅とほぼ同じ間隔で配置されており、且つ、ガイドピン３２と板バネ３３が対向するように配置されている。ホログラム記録媒体１０が記録再生装置３０に装着された際には、ホログラム記録媒体１０の上下面が一対のガイドピン３２と一対の板バネ３３との間で挟みこまれ、板バネ３３の弾性力によりホログラム記録媒体１０をガイドピン３２に押し付けることによりホログラム記録媒体１０が支持される。それゆえ、ガイドピン３２のホログラム記録媒体の支持位置が、情報を記録再生する際のホログラム記録媒体１０の厚さ方向の基準位置となる。なお、図４（ｂ）に示すように、この例の記録再生装置３０の記録再生ヘッド３４はガイドピン３２側に配置されている。
【００４７】
実際に、この例のホログラム記録媒体１０を記録再生装置３０に装着する際の様子を示したのが図５である。図５（ａ）及び（ｂ）は、それぞれホログラム記録媒体１０の装着前及び装着後の様子を示した図である。この例では、図５に示すように、ホログラム記録媒体１０は、その挿入部１ａの把持部１ｃとは反対側の端面から挿入口３１を介して記録再生装置３０に挿入される。そして、図５（ｂ）に示すように、ホログラム記録媒体１０の挿入部１ａが完全に記録再生装置３０内に収まるまでホログラム記録媒体１０を押し込むことにより、ホログラム記録媒体１０の装着が完了する。
【００４８】
図５（ｂ）の状態（ホログラム記録媒体１０が記録再生装置３０に装着された状態）における記録再生装置３０内部の様子を示したのが図６である。図６（ａ）は図５（ｂ）中のＢ−Ｂ’断面図であり、図６（ｂ）は図５（ｂ）中のＣ−Ｃ’断面図である。図６（ａ）及び（ｂ）に示すように、ホログラム記録媒体１０は、一対のガイドピン３２と、一対の板バネ３３との間に挟まれて支持される。より詳細に説明すると、ガイドピン３２は、記録媒体本体２の第２基板２２の保持部２２ａより内部側部分の上面の一部（支持部２２ｂの上面）を支持しており、板バネ３３は、第２基板２２の下面の一部（支持部２２ｂの下面）を保持している突起部１ｄに対応するカートリッジ１の下面領域付近を支持している。すなわち、この例では、記録媒体本体２の第２基板２２の外縁部の上面の一部（支持部２２ｂの上面）をガイドピン３２で直接支持し、第２基板２２の外縁部の下面の一部（支持部２２ｂの下面）をカートリッジ１の突起部１ｄを介して板バネ３３で間接的に支持することにより、ホログラム記録媒体１０が記録再生装置３０内で支持されている。なお、上述のように、この例では第１基板２１の下面とカートリッジ１の下面との間に段差を設けたので、第１基板２１の下面は板バネ３３と接触しない。それゆえ、この例では、ホログラム記録媒体１０を記録再生装置３０に装着した際に、直接支持されるのは第２基板２２であるので（情報記録層２３は直接支持されないので）、情報記録層２３に圧力は加わらない。その結果、情報記録層２３には応力歪みが生じないので、正確に情報の記録再生が可能となる。
【００４９】
［変形例１］
本発明のホログラム記録媒体では、上述のように、情報記録層を保持する２枚の基板のうち一方の基板（第２基板）を他方の基板（第１基板）より大きくするので、ホログラム記録媒体を構成した際に、第２基板の外縁部が第１基板に対して外側にはみ出した状態となる。それゆえ、そのはみ出した第２基板の外縁部は情報の記録再生に関係のない部分であるので、この部分を直接ユーザーが担持して記録再生装置に脱着させることもできる。変形例１では、そのような構造のホログラム記録媒体の一例を説明する。
【００５０】
変形例１のホログラム記録媒体の概略断面図を図７に示した。この例のホログラム記録媒体６０は、図７に示すように、第１基板６１と、第１基板６１より寸法の大きい第２基板６２と、第１基板６１と第２基板６２との間に形成された情報記録層６３とからなる。この例では、実施例１のようにカートリッジを設けなかった。また、第２基板６２の外縁部に保持部も設けなかった。それ以外は実施例１の媒体本体と同様の構成とした。この例では、第２基板６２の第１基板６１と対向する領域の外側の部分６２ｂが、記録再生装置内の位置決め装置等（ガイドピン、板バネ等）により支持される支持部となる。
【００５１】
この例のホログラム記録媒体６０では、記録再生装置に装着された際には、第２基板６２の第１基板６１より外側部分（支持部６２ｂ）の上下面の一部が直接記録再生装置内の位置決め装置等（ガイドピン、板バネ等）により支持される（図７中の白抜き矢印）。それゆえ、この例のホログラム記録媒体６０においても、ホログラム記録媒体６０を記録再生装置に装着した際に、情報記録層６３が位置決め装置等に直接支持されないので、情報記録層６３に圧力は加わらず、応力歪みも生じないので、より正確な情報の記録再生が可能になる。
【００５２】
また、この例のホログラム記録媒体６０では、実施例１のようにカートリッジを必要としないので、一層の小型化が可能になる。また、この例のホログラム記録媒体６０を実施例１のホログラム記録媒体全体のサイズと同サイズで作製した場合には、カートリッジが無い分だけ、記録エリアを大きくすることができ、記録容量さらに増大させることも可能となる。また、この例のホログラム記録媒体６０は、実施例１に比べて、構造が簡単であり、且つ、カートリッジも必要ないことから、低コストで且つ量産性に優れたホログラム記録媒体である。
【００５３】
［変形例２］
変形例２のホログラム記録媒体の概略断面図を図８に示した。この例では、実施例１と同様に、カートリッジを有するホログラム記録媒体の変形例を説明する。
【００５４】
この例のホログラム記録媒体７０は、図８に示すように、記録媒体本体７５と、記録媒体本体７５を保持するカートリッジ７４とから構成される。この例のホログラム記録媒体７０では、図８に示すように、カートリッジ７４の貫通穴を画成する側壁部の底面に形成した突起部７４ａの上面で第２基板７２の外縁部（支持部７２ｂ）の下面を支持することにより記録媒体本体７５を保持している。すなわち、この例では、実施例１のようにカートリッジで第２基板の外縁部を挟み込んで保持する構造ではなく、第２基板７２の外縁部（支持部７２ｂ）の下面のみをカートリッジ７４で保持する構造となっている。また、この例では、ホログラム記録媒体７０の下面側から何らかの外力（振動、衝撃等）が与えられた場合の強度を補強するために、カートリッジ７４の突起部７４ａの上面と、それと接する第２基板７２の外縁部（支持部７２ｂ）の下面領域を接着固定している。なお、記録媒体本体７５は変形例２と同様の構造とし、それ以外は、実施例１と同様の構造とした。また、この例のホログラム記録媒体では、図８に示すように、実施例１と同様に、第１基板７１とカートリッジ７４とが非接触となるような構造にした。
【００５５】
この例のホログラム記録媒体７０では、記録再生装置に装着された際には、実施例１と同様に、記録媒体本体７５の第２基板７２の第１基板７１より外側部分（支持部７２ｂ）の上面の一部が直接記録再生装置内の位置決め装置等（ガイドピン、板バネ等）により支持され、第２基板７２の第１基板７１より外側部分（支持部７２ｂ）の下面の一部がカートリッジの突起部７４ａを介して間接的に位置決め機構等により支持される（図８中の白抜き矢印）。それゆえ、この例のホログラム記録媒体７０においても、ホログラム記録媒体７０を記録再生装置に装着した際には、情報記録層７３が位置決め装置等により直接支持されないので、情報記録層７３に圧力は加わらず、応力歪みも生じないので、より正確な情報の記録再生が可能になる。
【００５６】
［変形例３］
上記実施例１及び変形例２では、第２基板の支持部の上面を記録再生装置の位置決め装置により直接的に支持し、且つ、第２基板の支持部の下面をカートリッジを介して間接的に支持する例を説明したが、本発明はこれに限定されず、カートリッジのみを記録再生装置の位置決め装置により直接支持して、間接的に記録媒体本体を支持してもよい。この例では、ホログラム記録媒体のカートリッジのみを記録再生装置の位置決め装置により直接支持する例を説明する。
【００５７】
この例のホログラム記録媒体の概略断面図を図９に示した。この例のホログラム記録媒体７０では、図９に示すように、変形例２のホログラム記録媒体と同様に構造とし、カートリッジ７４の外縁部７４ｂの上下面を記録再生装置の位置決め装置により支持する（図９中の白抜き矢印）構造にした。すなわち、この例のホログラム記録媒体では、カートリッジ７４の外縁部７４ｂが支持部となる。
【００５８】
この例のホログラム記録媒体７０を記録再生装置３０’に装着した際の記録再生装置３０’内の様子を示した図が図１０である。なお、図１０は、実施例１の図６（ｂ）に対応する図面である。この例のホログラム記録媒体７０では、カートリッジ７４の外縁部７４ｂを記録再生装置３０’の位置決め装置（ガイドピン３２’及び板バネ３３’）で支持するので、図１０に示すように、ガイドピン３２’及び板バネ３３’は、図６（ｂ）の例（実施例１）に比べて、記録再生装置３０’の側壁側に移動した構造になる。
【００５９】
このような構造にすると、記録媒体本体の第２基板もまた記録再生装置の位置決め装置に直接接触することはなく、カートリッジを介して間接的に記録再生装置の位置決め装置に支持される。それゆえ、情報記録層に圧力は加わらず、応力歪みも生じないので、より正確な情報の記録再生が可能になる。
【００６０】
［変形例４］
この例のホログラム記録媒体の概略断面図を図１１に示した。この例では、図１１に示すように、実施例１のホログラム記録媒体と同様の構造（カートリッジで第２基板の外縁部を挟み込んで保持する構造）とし、カートリッジの挿入部１ａの外縁部１ｇの上下面が記録再生装置の位置決め装置により支持される構造にした（図１１中の白抜き矢印）。
【００６１】
このような構造にした場合も、記録媒体本体の第２基板が記録再生装置の位置決め装置と直接接触することはなく、カートリッジを介して間接的に記録再生装置の位置決め装置に支持される。それゆえ、情報記録層に圧力は加わらず、応力歪みも生じないので、より正確な情報の記録再生が可能になる。
【００６２】
［変形例５］
上記実施例１及び変形例１〜４のホログラム記録媒体では、第２基板の上面と、それを保持するカートリッジの挿入部の上面が面一である例を説明したが、本発明はこれに限定されない。第２基板の上面と、それを保持するカートリッジの挿入部の上面との間に段差があっても良い。その一例を図１２に示した。図１２のホログラム記録媒体７０’では、第２基板７２’の上面がカートリッジの挿入部７４の上面より情報記録層７３側に位置している。この構造は、第２基板７２’を薄くするまたはカートリッジの挿入部７４を厚くすることにより形成される。これ以外は、変形例２及び３と同様の構造とした。なお、第２基板の上面と、それを保持するカートリッジの挿入部の上面との間の段差は、第１基板の下面とカートリッジの挿入部の下面との段差と同程度（０．１〜０．６ｍｍ程度）であることが好ましく、この例では、０．１〜０．２ｍｍにした。
【００６３】
このような構造のホログラム記録媒体では、例えば、ホログラム記録媒体を机上等に置いた場合であっても、第２基板が直接、机等に接触しない。それゆえ、情報記録層の保護性を向上させることができる。
【００６４】
［変形例６］
上記実施例１及び変形例１〜５のホログラム記録媒体及び媒体本体では、第１基板と第２基板がともに正方形の板状部材を用いた例を説明したが、本発明はこれに限定されない。用途、記録再生装置内の支持機構の構造等に応じて、適宜変更し得る。例えば、第１基板及び第２基板の形状を長方形、円形、楕円形、多角形等にしても良い。また、第１基板の形状と第２基板の形状を異ならせても良い。これらの一例を図１３（ａ）、（ｂ）及び（ｃ）に示した。なお、図１３（ａ）及び（ｃ）は共に寸法の小さい第１基板側からみた平面図であり、図１３（ｂ）は図１３（ａ）の側面図である。
【００６５】
図１３（ａ）及び（ｂ）には、六角形状の第１基板８１と、第１基板８１より寸法が大きく且つ略三角形の形状を有する第２基板８２と、第１基板８１と第２基板８２との間に形成された円形状の情報記録層８３とから構成したホログラム記録媒体８０である。また、図１３（ｃ）のホログラム記録媒体は、円形状の第１基板９１と、第１基板９１より径の大きい円形状の第２基板９２と、第１基板９１と第２基板９２との間に形成された円形状の情報記録層９３とから構成されている。なお、図１３（ａ）及び（ｃ）では、第１基板、第２基板及び情報記録層の各中心が同軸上に並ぶように形成されている。
【００６６】
また、上記実施例１並びに変形例１〜６では、第１基板、第２基板及び情報記録層の各中心が同軸上に並ぶように形成されたホログラム記録媒体を説明したが、本発明はこれに限定されない。用途、記録再生装置内の保持機構の構造等に応じて、第１基板、第２基板及び情報記録層の各中心が同軸上に並ばないように構成しても良い。
【００６７】
また、上記実施例１並びに変形例１〜６では、第２基板の支持部が平坦である場合を説明したが、本発明はこれに限定されない。支持部の形状は、記録再生装置の支持装置の構造や用途等に応じて適宜し得る。例えば、支持部を凹状にしても良い。
【産業上の利用可能性】
【００６８】
本発明のホログラム記録媒体では、記録再生装置に装着した際に、情報記録層に圧力は加わらず応力歪みも生じない。また、小型化も可能となる。さらに、用途に応じて適宜、その構造、形状等を変えても同様の効果が得られる。それゆえ、本発明のホログラム記録媒体は様々な用途に適用可能なホログラム記録媒体として好適である。
【図面の簡単な説明】
【００６９】
【図１】図１は、実施例１のホログラム記録媒体の構成図であり、図１（ａ）は平面図であり、図１（ｂ）は側面図である。
【図２】図２は、実施例１のホログラム記録媒体本体の構成図であり、図２（ａ）は側面図であり、図２（ｂ）は第１基板側から見た平面図である。
【図３】図３は、実施例１のホログラム記録媒体の断面図であり、図１中のＡ−Ａ’断面図である。
【図４】図４は、実施例１で用いた記録再生装置の構成図であり、図４（ａ）は斜視図であり、図４（ｂ）はホログラム記録媒体の挿入口側から見た側面図である。
【図５】図５は、実施例１のホログラム記録媒体を記録再生装置に装着する際の様子を示した図であり、図５（ａ）は装着前の図であり、図５（ｂ）は装着後の図である。
【図６】図６は、実施例１のホログラム記録媒体を記録再生装置に装着した際の記録再生装置内部の様子を示した図であり、図６（ａ）は図５（ｂ）中のＢ−Ｂ’断面図であり、図６（ｂ）は図５（ｂ）中のＣ−Ｃ’断面図である。
【図７】図７は、変形例１のホログラム記録媒体の側面図である。
【図８】図８は、変形例２のホログラム記録媒体の断面図である。
【図９】図９は、変形例３のホログラム記録媒体の断面図である。
【図１０】図１０は、変形例３のホログラム記録媒体を記録再生装置に装着した際の記録再生装置内の様子を示した図である。
【図１１】図１１は、変形例４のホログラム記録媒体の断面図である。
【図１２】図１２は、変形例５のホログラム記録媒体の断面図である。
【図１３】図１３は、変形例６のホログラム記録媒体の概略構成図であり、図１３（ａ）及び（ｃ）は変形例６のホログラム記録媒体の第１基板側から見た平面図であり、図１３（ｂ）は図１３（ａ）の側面図である。
【符号の説明】
【００７０】
１，７４  カートリッジ
２，７５  記録媒体本体
１０，６０，７０，７０’  ホログラム記録媒体
２１，６１，７１  第１基板
２２，６２，７２，７２’  第２基板
２２ａ  保持部
２２ｂ，６２ｂ，７２ｂ，７４ｂ  支持部
２３，６３，７３  情報記録層
３０，３０’  記録再生装置
３２，３２’  ガイドピン
３３，３３’  板バネ
３４  記録再生ヘッド
【図１】
2007183933.tif 000003
【図２】
2007183933.tif 000004
【図３】
2007183933.tif 000005
【図４】
2007183933.tif 000006
【図５】
2007183933.tif 000007
【図６】
2007183933.tif 000008
【図７】
2007183933.tif 000009
【図８】
2007183933.tif 000010
【図９】
2007183933.tif 000011
【図１０】
2007183933.tif 000012
【図１１】
2007183933.tif 000013
【図１２】
2007183933.tif 000014
【図１３】
2007183933.tif 000015